(57)【要約】【課題】マスクを着用した際の快適性や清潔性が向上するマスク用サポート部材を提供する。【解決手段】マスク用サポート部材１は、中央凹部２１がマスクＭの使用者側に位置した第一装着状態αで使用者が当該マスクＭを着用したときに、左右一対の頬部押圧部が当該使用者の頬部を押圧した状態で中央凹部２１が当該使用者の口部周辺に対向し、かつ中央凹部２１と当該使用者の口部周辺とが離間して中央凹部２１と口部周辺との間には所定の口部周辺接触防止空隙Ｓ１が形成される。【選択図】図３
2020180424.tif 000002
【特許請求の範囲】
【請求項１】
耳掛け部付きのマスクに装着されるマスク用サポート部材であって、
使用者の少なくとも口部を被覆するマスク用サポート部材本体を備え、
前記マスク用サポート部材本体は、
使用状態で使用者側となる面に位置した中央凹部と、
前記中央凹部の左右両側に位置した左右の側縁部に各々形成された左右一対の頬部押圧部と、
を備え、
少なくとも前記中央凹部がマスクの使用者側の面に配置された状態でマスク用サポート部材本体がマスクに装着された第一装着状態で使用者が当該マスクを着用したときに、前記左右一対の頬部押圧部が当該使用者の頬部を押圧した状態で前記中央凹部が当該使用者の口部周辺に対向し、かつ前記中央凹部と当該使用者の口部周辺とが離間して前記中央凹部と前記口部周辺との間には所定の口部周辺接触防止空隙が形成される
ことを特徴とするマスク用サポート部材。
【請求項２】
耳掛け部付きのマスクに装着されるマスク用サポート部材であって、
使用者の少なくとも口部を被覆するマスク用サポート部材本体を備え、
前記マスク用サポート部材本体は、
使用状態で使用者側となる面に位置した中央凹部と、
前記中央凹部の上側に位置した鼻部押圧部と、
前記中央凹部の下側に位置した顎部押圧部と、
を備え、
少なくとも前記中央凹部がマスクの使用者側の面に配置された状態でマスク用サポート部材本体がマスクに装着された第一装着状態で使用者が当該マスクを着用したときに、前記鼻部押圧部が当該使用者の鼻部を押圧した状態、かつ、前記顎部押圧部が当該使用者の顎部を押圧した状態で前記中央凹部が当該使用者の口部周辺に対向すると共に、前記中央凹部と当該使用者の口部周辺とが離間して前記中央凹部と前記口部周辺との間には所定の口部周辺接触防止空隙が形成される
ことを特徴とするマスク用サポート部材。
【請求項３】
耳掛け部付きのマスクに装着されるマスク用サポート部材であって、
使用者の少なくとも口部を被覆するマスク用サポート部材本体を備え、
前記マスク用サポート部材本体は、
使用状態で使用者側となる面に位置した中央凹部と、
前記中央凹部の上側に位置した鼻部押圧部と、
前記中央凹部の下側に位置した顎部押圧部と、
前記中央凹部の左右両側に位置した左右の側縁部に各々形成された左右一対の頬部押圧部と、
を備え、
少なくとも前記中央凹部がマスクの使用者側の面に配置された状態でマスク用サポート部材本体がマスクに装着された第一装着状態で使用者が当該マスクを着用したときに、当該マスクによって、当該使用者の鼻部が前記鼻部押圧部で押圧され、かつ、当該使用者の顎部が前記顎部押圧部で押圧され、かつ、当該使用者の頬部が前記左右一対の頬部押圧部で押圧された状態で前記中央凹部が当該使用者の口部周辺に対向し、かつ前記中央凹部と当該使用者の口部周辺とが離間して前記中央凹部と前記口部周辺との間には所定の口部周辺接触防止空隙が形成される
ことを特徴とするマスク用サポート部材。
【請求項４】
前記マスク用サポート部材本体は、３Ｄプリンタで製造されるプラスチック製のシート体からなる
請求項１乃至請求項３のいずれか１項に記載のマスク用サポート部材。
【請求項５】
前記シート体には、貫通状の通気部が複数設けられている
請求項４に記載のマスク用サポート部材。
【請求項６】
前記シート体には、前記第一装着状態でマスクの上縁が係合するフック部が設けられている
請求項４又は請求項５に記載のマスク用サポート部材。
【請求項７】
前記シート体の使用者側の面には、冷感材が貼着されている
請求項４乃至請求項６のいずれか１項に記載のマスク用サポート部材。
【請求項８】
前記マスク用サポート部材本体は、３Ｄプリンタで製造されるプラスチック製のフレーム体からなり、
環状のサブフレーム部と、前記サブフレーム部を縦断するように差し渡された上下方向のメインフレーム部と、
を具備し、
前記メインフレーム部に前記中央凹部が設けられており、
前記第一装着状態で、前記中央凹部が当該使用者の口部周辺に対向し、かつ前記中央凹部と当該使用者の口部周辺とが離間して前記中央凹部と前記口部周辺との間には所定の口部周辺接触防止空隙が形成されており、かつ、当該マスクの左右両端部が前記サブフレーム部と前記メインフレーム部との間に挿通されることにより前記サブフレーム部の左右両端部が前記マスクの外側に配されてなる
請求項１又は請求項３に記載のマスク用サポート部材。
【請求項９】
前記サブフレーム部の上端部には、前記第一装着状態でマスクの上縁が係合するフック部が設けられている
請求項８に記載のマスク用サポート部材。
【請求項１０】
前記メインフレーム部の使用者側には、冷感材取り付け部が設けられている
請求項８又は請求項９に記載のマスク用サポート部材。
【請求項１１】
耳掛け部付きのマスクに装着されるマスク用サポート部材であって、
使用者の少なくとも口部を被覆するマスク用サポート部材本体を備え、
前記マスク用サポート部材本体は、
使用状態で使用者側となる面に位置した中央凹部を備えるとともに、前記マスクに係着される係着部を備え、
マスク用サポート部材本体がマスクの使用者側の面とは反対側の面に配置された状態で当該マスク用サポート部材本体がマスクに装着された第二装着状態で使用者が当該マスクを着用したときに、前記中央凹部が当該使用者の口部周辺に対向し、かつ前記中央凹部と当該使用者の口部周辺とが離間して前記中央凹部と前記口部周辺との間には所定の口部周辺接触防止空隙が形成される
ことを特徴とするマスク用サポート部材。
【発明の詳細な説明】
【技術分野】
【０００１】
本発明は、マスクに装着されて使用されるマスク用サポート部材に関する。
【背景技術】
【０００２】
従来、マスクとしては、使用者の耳に引っ掛ける紐状の耳掛け部を備えたものがよく知られている。
【先行技術文献】
【特許文献】
【０００３】
【特許文献１】特開２０１６−９３３１８号公報
【発明の概要】
【発明が解決しようとする課題】
【０００４】
しかし従来のマスクは、使用状態で使用者の口部が押さえられて圧迫感を感じたり、呼吸によって蒸れやすかったり、化粧が崩れたり、あるいは唾液が付着して汚れたりするため、快適性に劣り、このように汚れたマスクを継続して使用することには非常に抵抗があることが多いという問題があった。
【０００５】
そこで本発明は、マスクを着用した際の快適性や清潔性が向上するマスク用サポート部材を提供することを目的とする。
【課題を解決するための手段】
【０００６】
本発明は、耳掛け部付きのマスクに装着されるマスク用サポート部材であって、使用者の少なくとも口部を被覆するマスク用サポート部材本体を備え、前記マスク用サポート部材本体は、使用状態で使用者側となる面に位置した中央凹部と、前記中央凹部の左右両側に位置した左右の側縁部に各々形成された左右一対の頬部押圧部と、を備え、少なくとも前記中央凹部がマスクの使用者側の面に配置された状態でマスク用サポート部材本体がマスクに装着された第一装着状態で使用者が当該マスクを着用したときに、前記左右一対の頬部押圧部が当該使用者の頬部を押圧した状態で前記中央凹部が当該使用者の口部周辺に対向し、かつ前記中央凹部と当該使用者の口部周辺とが離間して前記中央凹部と前記口部周辺との間には所定の口部周辺接触防止空隙が形成されることを特徴とするマスク用サポート部材である。
【０００７】
かかる構成とすることにより、使用者の口部とマスクとが接触することがなくなり、使用者がしゃべるときにマスクが唇に触れて不快に感じることを防止したり、マスクに化粧や唾液等が付着することを防止したりすることができる。
【０００８】
また、本発明は、耳掛け部付きのマスクに装着されるマスク用サポート部材であって、使用者の少なくとも口部を被覆するマスク用サポート部材本体を備え、前記マスク用サポート部材本体は、使用状態で使用者側となる面に位置した中央凹部と、前記中央凹部の上側に位置した鼻部押圧部と、前記中央凹部の下側に位置した顎部押圧部と、を備え、少なくとも前記中央凹部がマスクの使用者側の面に配置された状態でマスク用サポート部材本体がマスクに装着された第一装着状態で使用者が当該マスクを着用したときに、前記鼻部押圧部が当該使用者の鼻部を押圧した状態、かつ、前記顎部押圧部が当該使用者の顎部を押圧した状態で前記中央凹部が当該使用者の口部周辺に対向すると共に、前記中央凹部と当該使用者の口部周辺とが離間して前記中央凹部と前記口部周辺との間には所定の口部周辺接触防止空隙が形成されることを特徴とするマスク用サポート部材である。
【０００９】
かかる構成においてもまた、使用者の口部とマスクとが接触することがなくなり、使用者がしゃべるときにマスクが唇に触れて不快に感じることを防止したり、マスクに化粧や唾液等が付着することを防止したりすることができる。
【００１０】
また、本発明は、耳掛け部付きのマスクに装着されるマスク用サポート部材であって、使用者の少なくとも口部を被覆するマスク用サポート部材本体を備え、前記マスク用サポート部材本体は、使用状態で使用者側となる面に位置した中央凹部と、前記中央凹部の上側に位置した鼻部押圧部と、前記中央凹部の下側に位置した顎部押圧部と、前記中央凹部の左右両側に位置した左右の側縁部に各々形成された左右一対の頬部押圧部と、を備え、少なくとも前記中央凹部がマスクの使用者側の面に配置された状態でマスク用サポート部材本体がマスクに装着された第一装着状態で使用者が当該マスクを着用したときに、当該マスクによって、当該使用者の鼻部が前記鼻部押圧部で押圧され、かつ、当該使用者の顎部が前記顎部押圧部で押圧され、かつ、当該使用者の頬部が前記左右一対の頬部押圧部で押圧された状態で前記中央凹部が当該使用者の口部周辺に対向し、かつ前記中央凹部と当該使用者の口部周辺とが離間して前記中央凹部と前記口部周辺との間には所定の口部周辺接触防止空隙が形成されることを特徴とするマスク用サポート部材である。
【００１１】
かかる構成とすることにより、使用者の口の周囲をマスク用サポート部材によって被覆し、マスクと使用者の肌との間から空気が漏れることを好適に防止することができる。
【００１２】
また、前記マスク用サポート部材本体は、３Ｄプリンタで製造されるプラスチック製のシート体からなる構成が提案される。
【００１３】
かかる構成とすることにより、マスク用サポート部材を安価で大量生産することができる。
【００１４】
また、前記シート体には、貫通状の通気部が複数設けられていてもよい。
【００１５】
かかる構成とすることにより、マスクの機能を阻害することなく、使用者の呼吸に必要な空気を安定して供給することができる。
【００１６】
また、前記シート体には、前記第一装着状態でマスクの上縁が係合するフック部が設けられていてもよい。
【００１７】
かかる構成とすることにより、マスク用サポート部材をマスクによって支持することができ、マスク用サポート部材が意図せずずり落ちることを防止することができる。
【００１８】
また、前記シート体の使用者側の面には、冷感材が貼着されていてもよい。
【００１９】
かかる構成とすることにより、例えば夏場におけるマスク用サポート部材の使用感を向上させることができ、また熱中症対策にもなる。
【００２０】
また、前記マスク用サポート部材本体は、３Ｄプリンタで製造されるプラスチック製のフレーム体からなり、環状のサブフレーム部と、前記サブフレーム部を縦断するように差し渡された上下方向のメインフレーム部と、を具備し、前記メインフレーム部に前記中央凹部が設けられており、前記第一装着状態で、前記中央凹部が当該使用者の口部周辺に対向し、かつ前記中央凹部と当該使用者の口部周辺とが離間して前記中央凹部と前記口部周辺との間には所定の口部周辺接触防止空隙が形成されており、かつ、当該マスクの左右両端部が前記サブフレーム部と前記メインフレーム部との間に挿通されることにより前記サブフレーム部の左右両端部が前記マスクの外側に配されてなる構成が提案される。
【００２１】
かかる構成とすることにより、前記頬部押圧部によってマスクを使用者の肌に密着させることができ、マスクの機能を向上させることができる。
【００２２】
また、前記サブフレーム部の上端部には、前記第一装着状態でマスクの上縁が係合するフック部が設けられていてもよい。
【００２３】
かかる構成とすることにより、マスク用サポート部材をマスクによって支持することができ、マスク用サポート部材が意図せずずり落ちることを防止することができる。
【００２４】
また、前記メインフレーム部の使用者側の面には、冷感材取り付け部が設けられていてもよい。
【００２５】
かかるとすることにより、例えば夏場におけるマスク用サポート部材の使用感を向上させることができ、また熱中症対策にもなる。
【００２６】
また、本発明は、耳掛け部付きのマスクに装着されるマスク用サポート部材であって、使用者の少なくとも口部を被覆するマスク用サポート部材本体を備え、前記マスク用サポート部材本体は、使用状態で使用者側となる面に位置した中央凹部を備えるとともに、前記マスクに係着される係着部を備え、マスク用サポート部材本体がマスクの使用者側の面とは反対側の面に配置された状態で当該マスク用サポート部材本体がマスクに装着された第二装着状態で使用者が当該マスクを着用したときに、前記中央凹部が当該使用者の口部周辺に対向し、かつ前記中央凹部と当該使用者の口部周辺とが離間して前記中央凹部と前記口部周辺との間には所定の口部周辺接触防止空隙が形成されることを特徴とするマスク用サポート部材である。
【００２７】
かかる構成においては、使用者の口部とマスクとが接触することがなくなり、使用者がしゃべるときにマスクが唇に触れて不快に感じることを防止したり、マスクに化粧や唾液等が付着することを防止したりすることができる。
【発明の効果】
【００２８】
本発明は、マスクを着用した際の快適性や清潔性が向上する優れた効果がある。
【図面の簡単な説明】
【００２９】
【図１】実施例１のマスク用サポート部材の使用状態を示す斜視図である。
【図２】実施例１のマスク用サポート部材を使用者側から見た背面図である。
【図３】実施例１のマスク用サポート部材の使用状態を示す部分縦断面図である。
【図４】実施例２のマスク用サポート部材を正面側から見た斜視図である。
【図５】実施例２のマスク用サポート部材を背面側（使用者側）から見た斜視図である。
【図６】実施例２のマスク用サポート部材の側面図である。
【図７】実施例２のマスク用サポート部材の使用状態を示す部分縦断面図である。
【図８】実施例２のマスク用サポート部材の使用状態を示す斜視図である。
【図９】実施例２のマスク用サポート部材の他の使用状態を示す斜視図である。
【図１０】実施例３のマスク用サポート部材の使用状態を示す部分縦断面図である。
【図１１】他の実施例のマスク用サポート部材を正面側から見た斜視図である。
【発明を実施するための形態】
【００３０】
以下、本発明のマスク用サポート部材を具体化した実施例を詳細に説明する。なお本発明は、下記に示す実施例に限定されることはなく、適宜設計変更が可能である。
【００３１】
〔実施例１〕
マスク用サポート部材１は、図１〜図３に示すように、略四角形のプラスチック製シート体からなるマスク用サポート部材本体１１を備えている。マスク用サポート部材本体１１の背面（使用者側となる面）の略中央には、一方（前方）に向かって凹んだ中央凹部２１が形成されている。また、マスク用サポート部材本体１１には、貫通状の通気部３１が複数設けられている。このようなマスク用サポート部材本体１１は、３Ｄプリンタで簡易に大量生産することができる。
【００３２】
中央凹部２１の左右両側に位置した左右の側縁部には、緩く湾曲した一対の頬部押圧部４１，４１が形成されている。
【００３３】
また、中央凹部２１の上側に位置した上縁部には、人体の鼻梁から眼下にわたる形状に対応した湾曲形状を有した鼻部押圧部５１が形成されている。
【００３４】
また、中央凹部２１の下側に位置した下縁部には、人体の顎部周辺の形状に対応した湾曲形状を有した顎部押圧部６１が形成されている。
【００３５】
また、マスク用サポート部材１の正面には、下向きに突き出された左右一対のフック部７１，７１が設けられている。
【００３６】
さらに、マスク用サポート部材本体１１の中央凹部２１の両側には、左右一対の冷感材８１，８１が取り付けられている。冷感材８１は、メントールやカンフル等、皮膚に冷感を感じさせるものや、ポリアクリル酸ナトリウム等の高吸水性樹脂と水との混合物等の低温を保持することのできるもの等が適用可能なものとして挙げられる。また、肌に接する部分は柔らかい綿や不織布等の緩衝材によって被覆されていることが好ましい。
【００３７】
マスク用サポート部材１を用いる際には、図１，図３に示すように、マスク用サポート部材１がマスクＭの使用者側の面に配置された第一装着状態αで、マスクＭの上端縁にマスク用サポート部材１のフック部７１，７１に引っ掛けるようにする。その後、中央凹部２１が使用者の口周りに位置するようにして、マスクＭの耳掛け部を耳に引っ掛けて着用する。
【００３８】
これにより、図３に示すように、使用者の頬部にマスク用サポート部材１の頬部押圧部４１が押圧され、使用者の鼻部に鼻部押圧部５１が押圧され、使用者の顎部に顎部押圧部６１が押圧されて、使用者の口部周辺をマスク用サポート部材１が被覆することとなる。
【００３９】
ここで、マスク用サポート部材１の中央凹部２１と使用者の口部周辺とが離間して、中央凹部２１と使用者の口部周辺との間に口部周辺接触防止空隙Ｓ１が形成されており、マスク用サポート部材１によって、使用者の口紅等の化粧や唾液等がマスクＭに付着することが防止されている。さらに、マスク用サポート部材１は、プラスチック製シート体からなるため、洗浄することにより清潔さを保って何度でも再利用することができる。マスク用サポート部材１の材料としては、煮沸消毒に耐える程度の耐熱性を有することが望ましい。
【００４０】
〔実施例２〕
マスク用サポート部材２は、図４〜図６等に示すように、環状のプラスチック製フレーム体からなるサブフレーム部９１と、サブフレーム部９１を縦断するように差し渡された上下方向で棒状のメインフレーム部１０１と、を備えている。また、マスク用サポート部材２の背面側において、メインフレーム部１０１の略中央には、一方に向かって凹んだ中央凹部１１１が形成されている。マスク用サポート部材２は、３Ｄプリンタで簡易に大量生産することができる。
【００４１】
サブフレーム部９１の左右両側部には、緩く湾曲した一対の頬部押圧部１２１，１２１が形成されている。
【００４２】
また、サブフレーム部９１とメインフレーム部１０１とが交わるメインフレーム部１０１の上端部には、人体の鼻梁の形状に対応した湾曲形状を有した鼻部押圧部１３１が形成されている。
【００４３】
また、サブフレーム部９１とメインフレーム部１０１とが交わるメインフレーム部１０１の下端部には、人体の顎部の形状に対応した湾曲形状を有した顎部押圧部１４１が形成されている。
【００４４】
マスク用サポート部材２を用いる際には、図７，図８に示すように、マスク用サポート部材２の中央凹部１１１がマスクＭの使用者側の面に配置された第一装着状態αで、マスクＭの両側をサブフレーム部９１とメインフレーム部１０１との間の環部を通してサブフレーム部９１よりもマスクＭが使用者側となるようにマスクＭにマスク用サポート部材２を取り付ける。この状態で中央凹部１１１が使用者側となるようにマスクＭごとマスク用サポート部材２を使用者の口周りに被せ、マスクＭの耳掛け部を耳に引っ掛けて着用する。
【００４５】
これにより、使用者の鼻部にマスク用サポート部材２の鼻部押圧部１３１が押圧され、使用者の顎部に顎部押圧部１４１が押圧されるとともに、頬部押圧部１２１がマスクＭを使用者の頬部に押圧して使用者の口部を被覆することができる。ここで、マスク用サポート部材２の中央凹部１１１と使用者の口部周辺とが離間して、中央凹部１１１と使用者の口部周辺との間に口部周辺接触防止空隙Ｓ２が形成されており、マスク用サポート部材２によって、使用者の口紅等の化粧や唾液等がマスクＭに付着することが防止されている。
【００４６】
さらに、マスク用サポート部材２は、プラスチック製シート体からなるため、洗浄することにより清潔さを保って何度でも再利用することができる。マスク用サポート部材２の材料としては、煮沸消毒に耐える程度の耐熱性を有することが望ましい。
【００４７】
また、マスク用サポート部材２は、マスクＭの取付け方を変えて装着することもできる。すなわち、図９に示すように、マスク用サポート部材２の中央凹部１１１がマスクＭの使用者側とは反対側の面に配置された第二装着状態βで、マスクＭの両側をサブフレーム部９１とメインフレーム部１０１との間の環部を通してサブフレーム部９１がマスクＭよりも使用者側となるようにマスクＭにマスク用サポート部材２を取り付ける。この状態でマスク用サポート部材２の中央凹部１１１が使用者側となるようにマスクＭごとマスク用サポート部材２を使用者の口周りに被せ、マスクＭの耳掛け部を耳に引っ掛けて着用する。
【００４８】
この場合は、頬部押圧部１２１をマスクＭで隠すようにしてマスクＭを着用することができる。
【００４９】
〔実施例３〕
マスク用サポート部材３は、図１０に示すように、上端部に鼻部押圧部１５１が形成され、下端部に顎部押圧部１６１が形成され、中央部において一方に向かって凹んだ中央凹部１７１が背面側に形成されたシート形状の本体部１８１を備えている。
【００５０】
また、本体部１８１の中央凹部１７１には、係着凸部１９１が使用者側に突出するように設けられている。
【００５１】
マスク用サポート部材３を用いる際には、本体部１８１の中央凹部１７１側がマスクＭの使用者側とは反対側の面に配置された第二装着状態βで、本体部１８１とは別体で形成された係着片２０１をマスクＭごと係着凸部１９１に係着してマスクＭにマスク用サポート部材３を係着する。この場合にあっても、中央凹部１７１が使用者の口部周辺に対向し、かつ中央凹部１７１と使用者の口部周辺とが離間して中央凹部１７１と口部周辺との間に口部周辺接触防止空隙Ｓ３が形成される。
【００５２】
上記実施例にあって、各部の寸法形状は適宜自由に選択可能である。
【００５３】
また、例えば図１１に示すように、上記実施例２のマスク用サポート部材２にあって、サブフレーム部９１の上端部に、フック部２０１が左右一対設けられていてもよい。このフック部２０１は、使用者が使用するマスクＭの上縁が係合する構造となっており、使用時にマスク用サポート部材２が使用者の顔からずり落ちてしまうことを防止することができる。
【００５４】
さらに、図１１に示すように、メインフレーム部１０１の使用者側には、平板形状の冷感材取り付け部２１１がメインフレーム部１０１に沿って上下方向に差し渡されていてもよい。具体的に冷感材取り付け部２１１は、メインフレーム部１０１に対して間隔をおいて配置されている。
【００５５】
かかる構成にあっては、メインフレーム部１０１と冷感材取り付け部２１１との間に袋体状の冷感材（保冷剤）２２０が挟み込まれるように保持される。ここで、冷感材取り付け部２１１に複数のスリット部２１２が設けられることで、使用者の口部周りにおいて冷気の流通を促し、より冷感を得られ易くしている。
【００５６】
なお、冷感材取り付け部２１１は、メインフレーム部１０１よりも使用者側に配されるが、冷感材取り付け部２１１もメインフレーム部１０１と同様に、使用状態において使用者の口部に触れない位置に配されて口部周辺接触防止空隙が形成されることが望ましい。これにより、使用者に不快感を与えることなく使用することができる。
【００５７】
また、冷感材取り付け部２１１は平板形状である必要はない。またメインフレーム部１０１との間で冷感材２２０を挟持する構成に限られず、冷感材取り付け部２１１単独で冷感材２２０を保持する構成であっても構わない。
【符号の説明】
【００５８】
１，２，３            マスク用サポート部材
１１                  マスク用サポート部材本体
２１，１１１，１７１  中央凹部
３１                  通気部
４１，１２１          頬部押圧部
５１，１３１，１５１  鼻部押圧部
６１，１４１，１６１  顎部押圧部
７１，２０１          フック部
８１，２２０          冷感材
９１                  サブフレーム部
１０１                メインフレーム部
１８１                本体部
１９１                係着凸部（係着部）
２０１                係着片
２１１                冷感材取り付け部
２１２                スリット部
Ｍ                    マスク
Ｓ１，Ｓ２，Ｓ３      口部周辺接触防止空隙
α                    第一装着状態
β                    第二装着状態
【図１】
2020180424.tif 000003
【図２】
2020180424.tif 000004
【図３】
2020180424.tif 000005
【図４】
2020180424.tif 000006
【図５】
2020180424.tif 000007
【図６】
2020180424.tif 000008
【図７】
2020180424.tif 000009
【図８】
2020180424.tif 000010
【図９】
2020180424.tif 000011
【図１０】
2020180424.tif 000012
【図１１】
2020180424.tif 000013